【手続補正書】
【提出日】平成21年7月13日(2009.7.13)
【手続補正１】
【補正対象書類名】特許請求の範囲
【補正対象項目名】全文
【補正方法】変更
【補正の内容】
【特許請求の範囲】
【請求項１】
光学ユニットを通過した光を受光して電荷として蓄積する撮像素子と、
前記撮像素子へ入射する光を遮光するように走行するメカニカルシャッターと、
前記撮像素子の領域ごとに順次、電荷蓄積を開始する走査を行う走査手段と、
前記メカニカルシャッターの走行を開始させるタイミング及び前記走査手段による前記電荷蓄積を開始する走査を行うタイミングを制御する制御手段と、を有し、
前記制御手段は、前記メカニカルシャッターの走行により生じる前記撮像素子の露光量のムラが低減されるように、前記撮像素子の領域毎に前記電荷蓄積を開始する走査を行うタイミングを設定することを特徴とする撮像装置。
【請求項２】
前記制御手段は、前記走査手段によって電荷蓄積を開始してからその領域上を前記メカニカルシャッターが走行するまでの時間の異なる領域が存在するように、前記撮像素子の領域毎に前記電荷蓄積を開始する走査を行うタイミングを設定することを特徴とする請求項１に記載の撮像装置。
【請求項３】
前記制御手段は、前記走査手段によって電荷蓄積を開始してからその領域上を前記メカニカルシャッターが走行するまでの時間が、前記撮像素子の領域によって異なるように前記電荷蓄積を開始する走査を行うタイミングを設定することを特徴とする請求項２に記載の撮像装置。
【請求項４】
前記制御手段は、前記光学ユニットを通過した光が前記撮像素子に入射する際に取り得る角度に応じて、前記電荷蓄積を開始する走査を行うタイミングを設定することを特徴とする請求項１ないし３のいずれか１項に記載の撮像装置。
【請求項５】
前記制御手段は、前記光学ユニットの状態に応じて、前記電荷蓄積を開始する走査を行うタイミングを設定することを特徴とする請求項１ないし３のいずれか１項に記載の撮像装置。
【請求項６】
前記制御手段は、前記光学ユニット内のレンズの位置に応じて、前記電荷蓄積を開始する走査を行うタイミングを設定することを特徴とする請求項５に記載の撮像装置。
【請求項７】
前記制御手段は、前記光学ユニット内の絞り値に応じて、前記電荷蓄積を開始する走査を行うタイミングを設定することを特徴とする請求項５に記載の撮像装置。
【請求項８】
前記制御手段は、前記光学ユニットの射出瞳距離に応じて、前記電荷蓄積を開始する走査を行うタイミングを設定することを特徴とする請求項５に記載の撮像装置。
【請求項９】
前記制御手段は、前記光学ユニットの射出瞳距離が短いほど、前記電荷蓄積を開始する走査を開始するタイミングを前記メカニカルシャッターの走行パターンと一致する第１走査パターンよりも遅らせ、かつ、前記電荷蓄積を開始する走査を終了するタイミングを該第１走査パターンよりも早めることを特徴とする請求項８に記載の撮像装置。
【請求項１０】
前記光学ユニットの射出瞳距離によって分けられたグループ毎に走査を行うタイミングを登録した登録手段を有することを特徴とする請求項８に記載の撮像装置。
【請求項１１】
前記制御手段は、前記光学ユニットの焦点距離に応じて、前記電荷蓄積を開始する走査を行うタイミングを設定することを特徴とする請求項５に記載の撮像装置。
【請求項１２】
前記光学ユニットは光軸に対して横切る方向に移動可能なシフトレンズを有し、
前記制御手段は、前記シフトレンズのシフト量に応じて前記電荷蓄積を開始する走査を行うタイミングを設定することを特徴とする請求項５に記載の撮像装置。
【請求項１３】
前記制御手段は、前記シフトレンズのシフト方向が前記メカニカルシャッターの走行方向と同方向であれば、前記シフトレンズのシフト量が大きいほど、前記電荷蓄積を開始する走査を開始するタイミングを前記メカニカルシャッターの走行パターンと一致する第１走査パターンよりも遅らせ、かつ、前記電荷蓄積を開始する走査を終了するタイミングを該第１走査パターンよりも遅らせることを特徴とする請求項１２に記載の撮像装置。
【請求項１４】
前記制御手段は、前記シフトレンズのシフト方向が前記メカニカルシャッターの走行方向と逆方向であれば、前記シフトレンズのシフト量が大きいほど、前記電荷蓄積を開始する走査を開始するタイミングを前記メカニカルシャッターの走行パターンと一致する第１走査パターンよりも早め、かつ、前記電荷蓄積を開始する走査を終了するタイミングを該第１走査パターンよりも早めることを特徴とする請求項１２に記載の撮像装置。
【請求項１５】
前記光学ユニットは光軸に対して傾くことが可能なティルトレンズを有し、
前記制御手段は、前記ティルトレンズの傾き量に応じて前記電荷蓄積を開始する走査を行うタイミングを設定することを特徴とする請求項５に記載の撮像装置。
【請求項１６】
前記撮像素子は光軸に対して横切る方向に移動可能な防振機構を有し、
前記制御手段は、前記撮像素子のシフト量に応じて前記電荷蓄積を開始する走査を行うタイミングを設定することを特徴とする請求項１ないし３のいずれか１項に記載の撮像装置。
【請求項１７】
光学ユニットを通過した光を受光して電荷として蓄積する撮像素子と、
前記撮像素子を露光するように走行する第１のメカニカルシャッターと、
前記撮像素子を遮光するように走行する第２のメカニカルシャッターと、
前記撮像素子の領域ごとに順次、電荷蓄積を開始する走査を行う走査手段と、
前記電荷蓄積を開始する走査を実行してから前記第１のメカニカルシャッターの走行を行わずに前記第２のメカニカルシャッターの走行を行うように制御する第１の露光制御と、前記電荷蓄積を開始する走査を実行してから前記第１のメカニカルシャッターの走行及び前記第２のメカニカルシャッターの走行を行うように制御する第２の露光制御とを行う制御手段を有し、
前記制御手段は、前記光学ユニットの状態に応じて、前記第１の露光制御と前記第２の露光制御のいずれかを選択して行うことを特徴とする撮像装置。
【請求項１８】
前記制御手段は、前記光学ユニット内のレンズの位置に応じて、前記第１の露光制御と前記第２の露光制御のいずれかを選択して行うことを特徴とする請求項１７に記載の撮像装置。
【請求項１９】
前記制御手段は、前記光学ユニット内の絞り値に応じて、前記第１の露光制御と前記第２の露光制御のいずれかを選択して行うことを特徴とする請求項１７に記載の撮像装置。
【請求項２０】
前記制御手段は、前記光学ユニットの射出瞳距離に応じて、前記第１の露光制御と前記第２の露光制御のいずれかを選択して行うことを特徴とする請求項１７に記載の撮像装置。
【請求項２１】
前記制御手段は、前記光学ユニットの射出瞳距離が所定値よりも短い場合に、前記第２の露光制御を選択して行うことを特徴とする請求項２０に記載の撮像装置。
【請求項２２】
前記光学ユニットは光軸に対して横切る方向に移動可能なシフトレンズを有し、前記制御手段は、前記シフトレンズのシフト量が所定値以上である場合に、前記第２の露光制御を選択して行うことを特徴とする請求項１７に記載の撮像装置。
【請求項２３】
前記光学ユニットは光軸に対して傾くことが可能なティルトレンズを有し、前記制御手段は、前記ティルトレンズの傾き量が所定値以上である場合に、前記第２の露光制御を選択して行うことを特徴とする請求項１７に記載の撮像装置。
【請求項２４】
光学ユニットを通過した光を受光して電荷として蓄積する撮像素子と、前記撮像素子へ入射する光を遮光するように走行するメカニカルシャッターと、前記撮像素子の領域ごとに順次、電荷蓄積を開始する走査を行う走査手段と、を有する撮像装置の制御方法であって、
前記メカニカルシャッターの走行により生じる前記撮像素子の露光量のムラが低減されるように、前記撮像素子の領域毎に前記電荷蓄積を開始する走査を行うタイミングを設定することを特徴とする撮像装置の制御方法。
【請求項２５】
光学ユニットを通過した光を受光して電荷として蓄積する撮像素子と、前記撮像素子を露光するように走行する第１のメカニカルシャッターと、前記撮像素子を遮光するように走行する第２のメカニカルシャッターと、前記撮像素子の領域ごとに順次、電荷蓄積を開始する走査を行う走査手段と、を有する撮像装置の制御方法であって、
前記光学ユニットの状態に応じて、前記電荷蓄積を開始する走査を実行してから前記第１のメカニカルシャッターの走行を行わずに前記第２のメカニカルシャッターの走行を行うように制御する第１の露光制御と、前記電荷蓄積を開始する走査を実行してから前記第１のメカニカルシャッターの走行及び前記第２のメカニカルシャッターの走行を行うように制御する第２の露光制御のいずれか一方を行うことを特徴とする撮像装置の制御方法。
【手続補正２】
【補正対象書類名】明細書
【補正対象項目名】発明の名称
【補正方法】変更
【補正の内容】
【発明の名称】撮像装置及びその制御方法
【手続補正３】
【補正対象書類名】明細書
【補正対象項目名】０００６
【補正方法】変更
【補正の内容】
【０００６】
上記目的を達成するために本発明に係る撮像装置は、光学ユニットを通過した光を受光して電荷として蓄積する撮像素子と、前記撮像素子へ入射する光を遮光するように走行するメカニカルシャッターと、前記撮像素子の領域ごとに順次、電荷蓄積を開始する走査を行う走査手段と、前記メカニカルシャッターの走行を開始させるタイミング及び前記走査手段による前記電荷蓄積を開始する走査を行うタイミングを制御する制御手段と、を有し、前記制御手段は、前記メカニカルシャッターの走行により生じる前記撮像素子の露光量のムラが低減されるように、前記撮像素子の領域毎に前記電荷蓄積を開始する走査を行うタイミングを設定することを特徴とする。
【手続補正４】
【補正対象書類名】明細書
【補正対象項目名】０００７
【補正方法】変更
【補正の内容】
【０００７】
また、上記目的を達成するために本発明に係る撮像装置は、光学ユニットを通過した光を受光して電荷として蓄積する撮像素子と、前記撮像素子を露光するように走行する第１のメカニカルシャッターと、前記撮像素子を遮光するように走行する第２のメカニカルシャッターと、前記撮像素子の領域ごとに順次、電荷蓄積を開始する走査を行う走査手段と、前記電荷蓄積を開始する走査を実行してから前記第１のメカニカルシャッターの走行を行わずに前記第２のメカニカルシャッターの走行を行うように制御する第１の露光制御と、前記電荷蓄積を開始する走査を実行してから前記第１のメカニカルシャッターの走行及び前記第２のメカニカルシャッターの走行を行うように制御する第２の露光制御とを行う制御手段を有し、前記制御手段は、前記光学ユニットの状態に応じて、前記第１の露光制御と前記第２の露光制御のいずれかを選択して行うことを特徴とする。